【手続補正書】
【提出日】平成16年3月2日(2004.3.2)
【手続補正１】
【補正対象書類名】特許請求の範囲
【補正対象項目名】全文
【補正方法】変更
【補正の内容】
【特許請求の範囲】
【請求項１】
複数のネットワークを介して移動商取引サービスを提供する方法であって、
ローミングネットワークで、ユーザ装置から、識別番号及びサービスリクエストを受信し、
前記識別番号及び前記サービスリクエストに、サービスプロバイダに関するサービスプロバイダ識別番号及び前記サービスの料金を追加して、前記ローミングネットワークからホームネットワークへ送信し、
前記ホームネットワークに配置される集中通信プラットホームによって、前記識別番号が有効ユーザアカウントに関連し、前記ユーザ装置が前記サービスを受信するために認可され、前記有効ユーザアカウントが前記サービスに対する支払を行うための十分な金額を持っていることを検証し、
前記識別番号が前記有効ユーザアカウントに関連し、前記ユーザ装置が前記サービスを受信するために認可され、前記有効ユーザアカウントが十分な金額を持っている場合、前記サービスプロバイダに認可を提供し、
前記サービスを提供するために、前記有効ユーザアカウントから課金する
ことを特徴とする方法。
【請求項２】
複数のネットワークを介して移動商取引サービスを提供する装置であって、
サービスのリクエストを受信する受信部と、前記リクエストは、ローミングネットワークに配置されているユーザ装置からの識別番号と、サービスプロバイダに関するサービスプロバイダ識別番号及び前記ローミングネットワークからの前記サービスの料金を含み、
前記識別番号が有効ユーザアカウントに関連し、前記ユーザ装置が前記サービスを受信するために認可され、前記有効ユーザアカウントが前記サービスに対する支払を行うための十分な金額を持っていることを検証する検証部と、
前記識別番号が前記有効ユーザアカウントに関連し、前記ユーザ装置が前記サービスを受信するために認可され、前記有効ユーザアカウントが十分な金額を持っている場合、前記サービスプロバイダに認可を送信する送信部と、
前記サービスを提供するために、前記有効ユーザアカウントから課金する課金部を
を備えることを特徴とする装置。
【請求項３】
複数のネットワークを介してプリペイドローミング通信サービスを提供する方法であって、
ローミングネットワークで、ユーザ装置から、識別番号及び宛先装置番号を受信し、
前記識別番号及び前記宛先装置番号に、サービスプロバイダ識別番号及びローミング通信サービスの料金を追加して、前記ローミングネットワークからホームネットワークへ送信し、
前記ホームネットワークに配置される集中通信プラットホームによって、前記識別番号が有効ユーザアカウントに関連し、前記ユーザ装置が前記サービスを受信するために認可され、前記有効ユーザアカウントが前記サービスの初期費用に対する支払を行うための十分な金額を持っていることを検証し、
前記識別番号が有効ユーザ情報に関連し、前記ユーザ装置が前記サービスを受信するために認可され、前記有効ユーザアカウントが前記サービスの初期費用に対する支払を行うための十分な金額を持っている場合、前記ローミングネットワークに認可を提供し、
前記サービスを提供するために、前記有効ユーザアカウントから課金し、
前記ユーザアカウント残高が所定レベルに達する場合、信号を送信する
ことを特徴とする方法。
【請求項４】
前記信号は、サービス停止、中断、再入金リクエスト及び少残高警告の少なくとも１つである
ことを特徴とする請求項３に記載の方法。
【請求項５】
複数のネットワークを介してプリペイドローミング通信サービスを提供する装置であって、
サービスのリクエストを受信する受信部と、前記リクエストは、ローミングネットワークに配置されているユーザ装置からの識別番号及び宛先装置番号と、サービスプロバイダに関するサービスプロバイダ識別番号及び前記ローミングネットワークからのサービスの料金を含み、
前記識別番号が有効ユーザアカウントに関連し、前記ユーザ装置が前記ローミングネットワーク上の前記サービスを受信するために認可され、前記有効ユーザアカウントが前記サービスに対する支払を行うための十分な金額を持っていることを検証する検証部と、
前記識別番号が前記有効ユーザアカウントに関連し、前記ユーザ装置が前記サービスを受信するために認可され、前記有効ユーザアカウントが十分な金額を持っている場合、前記サービスプロバイダに認可を送信し、かつ前記ユーザアカウントが所定レベルに達する場合、信号を送信する送信部と、
前記サービスを提供するために、前記有効ユーザアカウントから課金する課金部を
を備えることを特徴とする装置。
【請求項６】
前記サービスを前記ユーザへ提供する比率を判定する判定部を更に備え、
前記課金部は、前記判定された比率で提供される前記サービスに対して、リアルタイムで前記有効ユーザアカウントから課金する
ことを特徴とする請求項５に記載の装置。
【請求項７】
前記信号は、サービス停止、中断、再入金リクエスト及び少残高警告の少なくとも１つである
ことを特徴とする請求項５に記載の装置。
【請求項８】
複数の独立ネットワークを介して、ネットワーク独立型消費者ケアサービスを提供する方法であって、
ローミングネットワークで、ユーザ装置から、識別番号及び消費者ケアサービスリクエストを受信し、
前記識別番号及び前記消費者ケアサービスリクエストに、サービスプロバイダ識別番号を追加して、前記ローミングネットワークからホームネットワークへ送信し、
前記ホームネットワークに配置される集中通信プラットホームによって、前記識別番号が有効ユーザアカウントに関連していることを検証し、
前記識別番号が前記有効ユーザアカウントに関連している場合、前記ユーザ装置に前記消費者ケアサービスを接続する
ことを特徴とする方法。
【請求項９】
前記消費者ケアサービスは、電話接続、シンプルメッセージングサービスメッセージ、ファクシミリ送信、データ送信、商品／サービスに対する購入リクエスト及び再入金リクエストの内から選択可能である
ことを特徴とする請求項８に記載の方法。
【請求項１０】
更に、前記有効ユーザアカウントが再入金メカニズムを承認していることを判定し、
前記再入金メカニズムを使用して、前記有効ユーザアカウントに再入金する
ことを特徴とする請求項８に記載の方法。
【請求項１１】
更に、前記サービスプロバイダ識別番号を記憶する
ことを特徴とする請求項８に記載の方法。
【請求項１２】
複数のネットワークを介して、消費者ケアサービスを提供する装置であって、
消費者ケアサービスのリクエストを受信する受信部と、前記リクエストは、ローミングネットワークに配置されているユーザ装置からの識別番号と、前記ローミングネットワークからのサービスプロバイダに関連するサービスプロバイダ識別番号を含み、
前記識別番号が有効ユーザアカウントに関連し、前記ユーザ装置が前記消費者ケアサービスを受信するために認可されていることを検証する検証部と、
前記識別番号が前記有効ユーザアカウントに関連している場合、前記ユーザ装置に、前記消費者ケアサービスを提供することができる消費者ケアサービスプロバイダを接続する接続部と
を備えることを特徴とする装置。
【請求項１３】
前記消費者ケアサービスは、電話接続、シンプルメッセージングサービスメッセージ、ファクシミリ送信、データ送信、商品／サービスに対する購入リクエスト及び再入金リクエストの少なくとも１つである
ことを特徴とする請求項１２に記載の装置。
【請求項１４】
前記有効ユーザアカウントが再入金メカニズムを承認していることを判定する判定部と、
前記再入金メカニズムを使用して、前記有効ユーザアカウントに再入金する再入金部と
を更に備えることを特徴とする請求項１２に記載の装置。
【請求項１５】
集中通信プラットホームを介して提供されるサービスに対するプリペイドアカウントに再入金する方法であって、
前記集中通信プラットホームに配置されている消費者アカウントを使用するための認可用のユーザ識別番号を含むリクエストを、ユーザ装置から受信し、
前記ユーザ識別番号に関連する消費者アカウントが、提供対象のサービスに対して十分な残高を持っていないことを判定し、
前記消費者アカウントが認可済の再入金メカニズムを持っていることを判定し、
前記認可済の再入金メカニズムを使用して、前記消費者アカウントに再入金し、
前記消費者アカウントに再入金された後、前記集中通信プラットホームを介して、前記サービスに対して前記消費者アカウントの使用を認可する
ことを特徴とする方法。
【請求項１６】
前記サービスは、電話接続、シンプルメッセージングサービスメッセージ、ファクシミリ送信、データ送信、商品／サービスに対する購入リクエスト及びデータダウンロードの少なくとも１つである
ことを特徴とする請求項１５に記載の方法。
【請求項１７】
前記集中通信プラットホームがホームネットワークに存在する場合には、前記受信は、ローミングネットワークから行う
ことを特徴とする請求項１５に記載の方法。
【請求項１８】
集中通信プラットホームを介して提供対象のサービスに対するプリペイドアカウントに再入金する装置であって、
前記集中通信プラットホームに配置されている消費者アカウントを使用するための識別番号を含む認可リクエストを、ユーザ装置から受信する受信部と、
前記識別番号に関連する消費者アカウントが、提供対象のサービスに対して十分な残高を持っておらず、かつ前記消費者アカウントが再入金メカニズムを認可していることを判定する判定部と、
前記再入金メカニズムを使用して、前記消費者アカウントに再入金する再入金部と、
前記消費者アカウントに再入金された後、前記集中通信プラットホームを介して、前記サービスに対して前記消費者アカウントの使用の認可を送信する送信部と
を備えることを特徴とする装置。
【請求項１９】
前記サービスは、電話接続、シンプルメッセージングサービスメッセージ、ファクシミリ送信、データ送信、商品／サービスに対する購入リクエスト及びデータダウンロードの内から選択可能である
ことを特徴とする請求項１８に記載の装置。
【請求項２０】
前記集中通信プラットホームがホームネットワークに存在する場合には、前記ユーザ装置は、ローミングネットワークに存在する
ことを特徴とする請求項１８に記載の装置。
【請求項２１】
集中通信環境内の複数のプロバイダに対するプリペイド取引の決済を行う方法であって、
リアルタイムで、複数のネットワークを介して提供される取引に対する有効ユーザアカウントから料金を課金し、
前記複数のネットワークを介する前記プリペイド取引の提供に関与する複数のプロバイダに分配すべき料金を判定し、
前記判定された料金に従って、前記複数のネットワークを介して前記プリペイド取引に対する前記プロバイダとの決済を行う
ことを特徴とする方法。
【請求項２２】
前記取引は、電話接続、シンプルメッセージングサービスメッセージ、ファクシミリ送信、データ送信、商品／サービスに対する購入リクエスト、データダウンロード及び再入金リクエストの少なくとも１つである
ことを特徴とする請求項２１に記載の方法。
【請求項２３】
更に、前記有効ユーザアカウントが十分な残高を持っていないことを判定し、
前記有効ユーザアカウントが再入金メカニズムを認可していることを判定し、
前記再入金メカニズムを使用して、前記有効ユーザアカウントに再入金する
ことを特徴とする請求項２１に記載の方法。
【請求項２４】
更に、前記取引及び前記複数のプロバイダそれぞれに対するプロバイダ識別番号を記憶する
ことを特徴とする請求項２１に記載の方法。
【請求項２５】
集中通信環境内の複数のプロバイダに対するプリペイド取引の決済を行う装置であって、
リアルタイムで、複数のネットワークを介して提供される取引に対するユーザアカウントから課金する課金部と、
前記複数のネットワークを介する前記プリペイド取引の提供に関与する複数のプロバイダに分配すべき料金を判定する判定部と、
前記判定された料金に従って、前記複数のネットワークを介して前記プリペイド取引に対する前記プロバイダとの決済を行う送信部と
を備えることを特徴とする装置。
【請求項２６】
前記取引は、電話接続、シンプルメッセージングサービスメッセージ、ファクシミリ送信、データ送信、商品／サービスに対する購入リクエスト、データダウンロード及び再入金リクエストの少なくとも１つである
ことを特徴とする請求項２５に記載の装置。
【請求項２７】
前記取引及び前記複数のプロバイダそれぞれに対するプロバイダ識別番号を記憶する記憶部を更に備える
ことを特徴とする請求項２５に記載の装置。
【請求項２８】
複数のネットワークを介して、移動商取引、電子商取引、消費者ケア及び通信サービスを提供する方法であって、
ローミングネットワークで、ユーザ装置から、識別番号及びサービスリクエストを受信し、
前記サービスが課金対象である場合、前記識別番号及び前記サービスリクエストに、サービスプロバイダに関するサービスプロバイダ識別番号及び前記サービスの料金を追加して、前記ローミングネットワークからホームネットワークへ送信し、
前記ホームネットワークに配置される集中通信プラットホームによって、前記識別番号が有効ユーザアカウントに関連し、前記ユーザ装置が前記サービスを受信するために認可され、かつ前記有効ユーザアカウントが前記サービスに対する支払を行うための十分な金額を持っていることを検証し、
前記識別番号が前記有効ユーザアカウントに関連し、前記ユーザ装置が前記サービスを受信するために認可され、かつ前記有効ユーザアカウントが十分な金額を持っている場合、前記サービスプロバイダに認可を提供し、
前記サービスが課金対象である場合、前記サービスを提供するために、リアルタイムで前記有効ユーザアカウントから課金する
ことを特徴とする方法。
【請求項２９】
前記ローミングネットワークは、無線ネットワーク、シンプルメッセージングサービスネットワーク、公衆交換電話ネットワーク、パケット交換ネットワーク、回線交換ネットワーク、非同期ネットワーク、インターネット、イントラネット、マイクロ波ネットワーク、ケーブルネットワーク、イーサネットネットワーク、トークンリングネットワーク及びワイドエリアネットワークの少なくとも１つである
ことを特徴とする請求項１、３、８あるいは２８のいずれか１項に記載の方法。
【請求項３０】
前記ローミングネットワークは、異なるシグナリングプロトコルを利用する、ホームネットワーク以外の異なるエンティティの少なくとも１つによって制御され、かつ異なる位置に配置されている
ことを特徴とする請求項８あるいは２８に記載の方法。
【請求項３１】
前記ユーザ装置は、無線電話、有線電話、モデム、コンピュータ、パーソナルデジタルアシスタント、ページャー、セルラー電話及び無線送信機の少なくとも１つである
ことを特徴とする請求項１、３、８、１５あるいは２８のいずれか１項に記載の方法。
【請求項３２】
前記識別番号は、個人識別番号、加入者識別モジュール、国際移動体加入者識別子、国際移動局端末識別子、アルファベット及び数字の組み合わせ、及び１６進数の少なくとも１つである
ことを特徴とする請求項１、３、８、１５あるいは２８のいずれか１項に記載の方法。
【請求項３３】
前記サービスは、電話接続、シンプルメッセージングサービスメッセージ、ファクシミリ送信、データ送信、商品／サービスの購入リクエスト、データダウンロード及び再入金リクエストの少なくとも１つである
ことを特徴とする請求項１、３あるいは２８のいずれか１項に記載の方法。
【請求項３４】
前記サービスプロバイダは、前記サービスの料金の一部をそれぞれが受信する複数のビジネスを含んでいる
ことを特徴とする請求項１、３あるいは２８のいずれか１項に記載の方法。
【請求項３５】
更に、前記サービスプロバイダに課金額を送信する
ことを特徴とする請求項１、３あるいは２８のいずれか１項に記載の方法。
【請求項３６】
更に、前記有効ユーザアカウントが十分な残高を持っていないことを判定し、
前記有効ユーザアカウントが再入金メカニズムを認可していることを判定し、
前記再入金メカニズムを使用して、前記ユーザアカウントに再入金する
ことを特徴とする請求項１、３あるいは２８のいずれか１項に記載の方法。
【請求項３７】
更に、ユーザ介入後に、前記有効ユーザアカウントが前記再入金メカニズムを認可していることを判定し、
再入金の認可を要求する前記ローミングネットワークで、前記ユーザ装置と接続し、
前記ユーザ装置が、再入金の認可の要求に正しく応答する場合、前記再入金を認可する
ことを特徴とする請求項３６に記載の方法。
【請求項３８】
前記再入金は、アカウント、金額及び資金源の少なくとも１つを特定するユーザ定義ルールに基づいている
ことを特徴とする請求項３６に記載の方法。
【請求項３９】
前記ユーザ定義ルールは、アカウント、過去の再入金、アカウント残高及び時間の少なくとも１つに基づく再入金優先度で、複数のアカウントを特定する
ことを特徴とする請求項３８に記載の方法。
【請求項４０】
前記再入金は、銀行アカウント、投資アカウント、クレジットアカウント及び認可済ローンアカウントの少なくとも１つから再入金を行う
ことを特徴とする請求項３６に記載の方法。
【請求項４１】
更に、前記課金及び前記サービスプロバイダ識別番号を記憶する
ことを特徴とする請求項１、３あるいは２８のいずれか１項に記載の方法。
【請求項４２】
前記ローミング通信サービスの料金は、ローミング料金、サービス配信料金、通信料金、税金、設備使用追加料金、ディスカウント及び保険料金の少なくとも１つである
ことを特徴とする請求項１、３あるいは２８のいずれか１項に記載の方法。
【請求項４３】
更に、前記サービスを前記ユーザへ提供する比率を判定し、
前記判定された比率で提供される前記サービスに対して、リアルタイムで前記有効ユーザーアカウントから課金する
ことを特徴とする請求項３あるいは２８に記載の方法。
【請求項４４】
前記比率は、ローミングネットワーク比率、ホームネットワーク比率、通信比率、長距離比率、国際比率、税金率、設備使用追加料金比率、ディスカウント比率及び保険料金比率の少なくとも１つである
ことを特徴とする請求項２８に記載の方法。
【請求項４５】
複数のネットワークを介して、移動商取引、電子商取引、消費者ケア及び通信サービスを提供する装置であって、
サービスがローミングネットワークからの課金対象である場合、ユーザ装置からの識別番号、サービスリクエスト、サービスプロバイダに関するサービスプロバイダ識別番号及び前記サービスの料金を受信する受信部と、
前記ホームネットワークに配置される集中通信プラットホームによって、前記識別番号が有効ユーザアカウントに関連しているか、前記ユーザ装置が前記サービスを受信するために認可され、かつ前記有効ユーザアカウントが前記サービスに対する支払を行うための十分な金額を持っているかを判定する判定部と、
前記サービスが課金対象である場合、前記識別番号が前記有効ユーザアカウントに関連し、前記ユーザ装置が前記サービスを受信するために認可され、かつ前記有効ユーザアカウントが十分な金額を持っている場合、前記サービスプロバイダに認可を提供する送信部と、
前記サービスが課金対象である場合、前記サービスを提供するために、リアルタイムで前記有効ユーザアカウントから課金する課金部と
を備えることを特徴とする装置。
【請求項４６】
前記ローミングネットワークは、無線ネットワーク、シンプルメッセージングサービスネットワーク、公衆交換電話ネットワーク、パケット交換ネットワーク、回線交換ネットワーク、非同期ネットワーク、インターネット、イントラネット、マイクロ波ネットワーク、ケーブルネットワーク、イーサネットネットワーク、トークンリングネットワーク及びワイドエリアネットワークの少なくとも１つである
ことを特徴とする請求項２、５、１２あるいは４５のいずれか１項に記載の装置。
【請求項４７】
前記ローミングネットワークは、異なるシグナリングプロトコルを利用する、ホームネットワーク以外の異なるエンティティの少なくとも１つによって制御され、かつ異なる位置に配置されている
ことを特徴とする請求項１２あるいは４５に記載の装置。
【請求項４８】
前記ユーザ装置は、無線電話、有線電話、モデム、コンピュータ、パーソナルデジタルアシスタント、ページャー、セルラー電話及び無線送信機の少なくとも１つである
ことを特徴とする請求項２、５、１２、１８あるいは４５のいずれか１項に記載の装置。
【請求項４９】
前記識別番号は、個人識別番号、加入者識別モジュール、国際移動体加入者識別子、国際移動局端末識別子、アルファベット及び数字の組み合わせ、及び１６進数の少なくとも１つである
ことを特徴とする請求項２、５、１２、１８あるいは４５のいずれか１項に記載の装置。
【請求項５０】
前記サービスは、電話接続、シンプルメッセージングサービスメッセージ、ファクシミリ送信、データ送信、商品／サービスの購入リクエスト、データダウンロード及び再入金リクエストの少なくとも１つである
ことを特徴とする請求項２、５あるいは４５のいずれか１項に記載の装置。
【請求項５１】
前記サービスプロバイダは、前記サービスの料金の一部をそれぞれが受信する複数のビジネスを含んでいる
ことを特徴とする請求項２、５あるいは４５のいずれか１項に記載の装置。
【請求項５２】
前記送信機は、更に、前記サービスプロバイダに課金額を送信する
ことを特徴とする請求項２、５あるいは４５のいずれか１項に記載の装置。
【請求項５３】
前記有効ユーザアカウントが十分な残高を持っていないこと、かつ前記有効ユーザアカウントが再入金メカニズムを認可していることを判定する判定部と、
前記再入金メカニズムを使用して、前記ユーザアカウントに再入金する再入金部と
を更に備えることを特徴とする請求項２、５、２５あるいは４５のいずれか１項に記載の装置。
【請求項５４】
ユーザ介入後に、前記有効ユーザアカウントが前記再入金メカニズムを認可していることを判定する判定部と、
前記ローミングネットワークの前記ユーザ装置へ、再入金の認可リクエストを送信する送信部と、
前記ユーザ装置が、前記再入金の認可リクエストに正しく応答する場合、前記再入金を認可する認可部と
を更に備えることを特徴とする請求項５３に記載の方法。
【請求項５５】
前記再入金は、アカウント、金額及び資金源の少なくとも１つを特定するユーザ定義ルールに基づいている
ことを特徴とする請求項５３に記載の装置。
【請求項５６】
前記ユーザ定義ルールは、アカウント、過去の再入金、アカウント残高及び時間の少なくとも１つに基づく再入金優先度で、複数のアカウントを特定する
ことを特徴とする請求項５５に記載の装置。
【請求項５７】
前記再入金部は、銀行アカウント、投資アカウント、クレジットアカウント及び認可済ローンアカウントの少なくとも１つから再入金を行う
ことを特徴とする請求項５３に記載の装置。
【請求項５８】
課金額及び前記サービスプロバイダ識別番号を記憶する記憶部
を更に備えることを特徴とする請求項２、５あるいは４５のいずれか１項に記載の装置。
【請求項５９】
前記ローミング通信サービスの料金は、ローミング料金、通信料金、税金、設備使用追加料金、ディスカウント及び保険料金の少なくとも１つである
ことを特徴とする請求項２、５あるいは４５のいずれか１項に記載の装置。
【請求項６０】
前記判定部は、更に、前記サービスを前記ユーザへ提供する比率を判定し、かつ前記課金部は、前記判定された比率で提供される前記サービスに対して、リアルタイムで前記有効ユーザーアカウントから課金する
ことを特徴とする請求項４５に記載の装置。
【請求項６１】
前記比率は、ローミングネットワーク比率、ホームネットワーク比率、通信比率、長距離比率、国際比率、税率、設備使用追加料金比率、ディスカウント比率及び保険料金比率の少なくとも１つである
ことを特徴とする請求項４５に記載の装置。
【請求項６２】
ルールセットを採用する集中通信方法であって、
認可済ユーザに対して、取引の認可及び前記認可済ユーザのアカウントの課金時に利用可能な少なくとも１つのルールを判定し、
前記取引の認可に対し、前記少なくとも１つのルールを適用し、
前記取引が認可される場合、リアルタイムで、アカウントから課金するために、前記少なくとも１つのルールに従って、前記アカウントから課金し、
少なくとも１つの決済ルールに従って、複数の取引プロバイダに対して、リアルタイム課金を決済する
ことを特徴とする方法。
【請求項６３】
更に、前記認可済ユーザが、前記取引に対する課金を行うための認可済ユーザアカウントに十分な金額を持っていないことを判定し、
再入金ルーチンの完了後、前記認可済ユーザアカウントに再入金し、
前記再入金ルーチンは、
送金するための再入金ユーザアカウントを判定し、
前記認可済ユーザからの事前認可済送金の参照及び認可の要求の少なくとも１つによって前記送金を認可する
ことを特徴とする請求項６２に記載の方法。
【請求項６４】
前記再入金は、複数の再入金ユーザアカウントを利用して実行される
ことを特徴とする請求項６３に記載の方法。
【請求項６５】
前記認可済ユーザからの前記認可の要求は、ユーザＰＩＮの要求、手動エントリの要求、ユーザパスフレーズの要求及び生体測定手段を介するユーザ識別子の確認の少なくとも１つである
ことを特徴とする請求項６３に記載の方法。
【請求項６６】
前記課金は、アカウントから課金するための複数のルールを利用して実行され、かつ前記決済は、複数の決済ルールを利用して実行される
ことを特徴とする請求項６２に記載の方法。
【請求項６７】
前記適用は、前記取引を認可するための複数のルールを利用して実行され、前記課金は、アカウントから課金するための複数のルールを利用して実行され、かつ前記決済は、複数の決済ルールを利用して実行される
ことを特徴とする請求項６２に記載の方法。
【請求項６８】
前記決済は、即時、３日後、カレンダー月の末、定期的な期間及び一連の分割払日の少なくとも１つで発生する
ことを特徴とする請求項６２に記載の方法。
【請求項６９】
前記取引の認可に対し、前記少なくとも１つのルールを適用することは、ＰＩＮ、手動エントリ、ユーザパスフレーズ及び生体測定手段を介するユーザ識別子の確認の少なくとも１つを使用する前記取引の認可を含む
ことを特徴とする請求項６２に記載の方法。
【請求項７０】
更に、アルゴリズムに従って、取引認可リクエストの発行時にリアルタイムで適用される少なくとも１つのルールを判定し、前記アルゴリズムは、当該アルゴリズムの機能である前記取引認可リクエストのタイミングを含んでいる
ことを特徴とする請求項６２に記載の方法。
【請求項７１】
更に、時系列イベントに関連するデータのソースからの入力を使用するアルゴリズムに従う取引認可リクエストの発行時に、リアルタイムで適用される少なくとも１つのルールを判定し、前記ルールは、前記取引認可リクエストとの関係を持っていることが考慮される
ことを特徴とする請求項６２に記載の方法。
【請求項７２】
前記時系列イベントは、認可済ユーザの過去の購入、あるいは時系列リスクアセスメントの実際の成果である
ことを特徴とする請求項７１に記載の方法。
【請求項７３】
更に、時系列イベントに関連するデータを使用するアルゴリズムに従う取引認可リクエストの発行時に、リアルタイムで適用される少なくとも１つのルールを判定し、前記ルールは、前記取引認可リクエストとの関係を持っていることが考慮され、かつ利用可能な時系列データの内容は定常的に変更される
ことを特徴とする請求項６２に記載の方法。
【請求項７４】
前記時系列イベントは、認可済ユーザの過去の購入、あるいは時系列リスクアセスメントの実際の成果である
ことを特徴とする請求項７３に記載の方法。
【請求項７５】
前記取引が要求され、かつ前記複数の取引プロバイダへの接続は、異種ネットワークにまたがっている
ことを特徴とする請求項６２に記載の方法。
【請求項７６】
前記課金は、メンバーシップが現状通りであるかのチェック、飛行マイルの減少あるいは増加、クレジット契約の増加あるいは減少、契約の記録の少なくとも１つである
ことを特徴とする請求項６２に記載の方法。
【請求項７７】
集中通信システムのアカウントにアクセスするユーザ入力装置であって、
認可済ユーザアカウントへアクセスし、かつアカウントマネージャーから取引を要求するために、前記集中通信システムへ送信する送信部と、
前記アカウントマネージャーは、
認可済ユーザに対し、取引を認可し、かつアカウントから課金する時点で利用可能な少なくとも１つのルールを判定する判定部と、
前記取引を認可するために、前記少なくとも１つのルールを適用するプロセッサと、
前記取引が認可される場合に、リアルタイムで、アカウントから課金するための前記少なくとも１つのルールに従って、前記アカウントから課金する課金部と、
少なくとも１つの決済ルールに従って、複数の取引プロバイダに対してリアルタイム課金を決済する決済部とを備え、
前記認可済ユーザアカウントへアクセスする前記アカウントマネージャーからの確認、認可済ユーザアカウントからの課金の確認及び決済の通知の少なくとも１つを受信する受信部と
を備えることを特徴とするユーザ入力装置。
【請求項７８】
前記アカウントマネージャーは、更に、
前記認可済ユーザが、前記取引に対して課金する認可済ユーザアカウントに十分な金額を持っていないことを判定する判定部と、
再入金ルーチンの完了後、前記認可済ユーザアカウントに再入金する再入金部とを備え、
前記再入金ルーチンは、
送金するための再入金ユーザアカウントを判定し、
前記認可済ユーザからの事前認可済送金の参照及び認可の要求の少なくとも１つによって前記送金を認可する
ことを特徴とする請求項７７に記載の装置。
【請求項７９】
前記再入金は、複数の再入金ユーザアカウントを利用して実行される
ことを特徴とする請求項７８に記載の装置。
【請求項８０】
前記認可済ユーザからの前記認可の要求は、ユーザＰＩＮの要求、手動エントリの要求、ユーザパスフレーズの要求及び生体測定手段を介するユーザ識別子の確認の少なくとも１つである
ことを特徴とする請求項７８に記載の装置。
【請求項８１】
前記課金は、アカウントから課金するための複数のルールを利用して実行され、かつ前記決済は、複数の決済ルールを利用して実行される
ことを特徴とする請求項７７に記載の装置。
【請求項８２】
前記適用は、前記取引を認可するための複数のルールを利用して実行され、前記課金は、アカウントから課金するための複数のルールを利用して実行され、かつ前記決済は、複数の決済ルールを利用して実行される
ことを特徴とする請求項７７に記載の装置。
【請求項８３】
前記決済は、即時、３日後、カレンダー月の末、定期的な期間及び一連の分割払日の少なくとも１つで発生する
ことを特徴とする請求項７７に記載の装置。
【請求項８４】
前記取引の認可に対し、前記少なくとも１つのルールを適用することは、ＰＩＮ、手動エントリ、ユーザパスフレーズ及び生体測定手段を介するユーザ識別子の確認の少なくとも１つを使用する前記取引の認可を含む
ことを特徴とする請求項７７に記載の装置。
【請求項８５】
更に、アルゴリズムに従って、取引認可リクエストの発行時にリアルタイムで適用される少なくとも１つのルールを判定し、前記アルゴリズムは、当該アルゴリズムの機能である前記取引認可リクエストのタイミングを含んでいる
ことを特徴とする請求項７７に記載の装置。
【請求項８６】
更に、時系列イベントに関連するデータを使用するアルゴリズムに従う取引認可リクエストの発行時にリアルタイムで適用される少なくとも１つのルールを判定し、前記ルールは、前記取引認可リクエストとの関係を持っていることが考慮される
ことを特徴とする請求項７７に記載の装置。
【請求項８７】
前記時系列イベントは、認可済ユーザの過去の購入、あるいは時系列リスクアセスメントの実際の成果である
ことを特徴とする請求項８６に記載の装置。
【請求項８８】
更に、時系列イベントに関連するデータを使用するアルゴリズムに従う取引認可リクエストの発行時にリアルタイムで適用される少なくとも１つのルールを判定し、前記ルールは、前記取引認可リクエストとの関係を持っていることが考慮され、かつ利用可能な時系列データの内容は定常的に変更される
ことを特徴とする請求項７７に記載の装置。
【請求項８９】
前記時系列イベントは、認可済ユーザの過去の購入、あるいは時系列リスクアセスメントの実際の成果である
ことを特徴とする請求項８８に記載の装置。
【請求項９０】
前記ユーザ入力装置は、コンピュータ、電話、セルラー電話、コンピュータ、ポイントオブセールス装置及びＭＰ３プレーヤーの少なくとも１つである
ことを特徴とする請求項８８に記載の装置。
【請求項９１】
前記取引が要求され、かつ前記複数の取引プロバイダへの接続は、異種ネットワークにまたがっている
ことを特徴とする請求項７７に記載の装置。
【請求項９２】
前記課金額は、メンバーシップが現状通りであるかのチェック、飛行マイルの減少あるいは増加、クレジット契約の増加あるいは減少、契約の記録の少なくとも１つである
ことを特徴とする請求項７７に記載の装置。
【請求項９３】
ルールセットを採用する集中通信システムであって、
認可済ユーザに対し、取引を認可し、かつ前記認可済ユーザのアカウントから課金する時点で利用可能な少なくとも１つのルールを判定する判定部と、
前記取引を認可するために、前記少なくとも１つのルールを適用するプロセッサと、
前記取引が認可される場合に、リアルタイムで、アカウントから課金するための前記少なくとも１つのルールに従って、前記アカウントから課金する課金部と、
少なくとも１つの決済ルールに従って、複数の取引プロバイダに対してリアルタイム課金を決済する決済部と
を備えることを特徴とする集中通信システム。
【請求項９４】
前記認可済ユーザが、前記取引に対して課金する認可済ユーザアカウントに十分な金額を持っていないことを判定する判定部と、
再入金ルーチンの完了後、前記認可済ユーザアカウントに再入金する再入金部とを備え、
前記再入金ルーチンは、
送金するための再入金ユーザアカウントを判定し、
前記認可済ユーザからの事前認可済送金の参照及び認可の要求の少なくとも１つによって前記送金を認可する
ことを特徴とする請求項９３に記載の集中通信システム。
【請求項９５】
前記適用は、前記取引を認可するための複数のルールを利用して実行され、前記課金は、アカウントから課金するための複数のルールを利用して実行され、かつ前記決済は、複数の決済ルールを利用して実行される
ことを特徴とする請求項９３に記載の集中通信システム。
【請求項９６】
更に、時系列イベントに関連するデータを使用するアルゴリズムに従う取引認可リクエストの発行時にリアルタイムで適用される少なくとも１つのルールを判定し、前記ルールは、前記取引認可リクエストとの関係を持っていることが考慮される
ことを特徴とする請求項９３に記載の集中通信システム。
【請求項９７】
更に、時系列イベントに関連するデータを使用するアルゴリズムに従う取引認可リクエストの発行時にリアルタイムで適用される少なくとも１つのルールを判定し、前記ルールは、前記取引認可リクエストとの関係を持っていることが考慮され、かつ利用可能な時系列データの内容は定常的に変更される
ことを特徴とする請求項９３に記載の集中通信システム。
【請求項９８】
ルールセットを採用する集中通信システムであって、
現時点での取引を認可し、課金し、決済するための複数のルールをリアルタイムで判定する判定部と、
認可済ユーザのアカウントあるいは前記認可済ユーザが、現時点の取引を認可するための前記複数のルールと合っている場合、前記取引を認可する認可部と、
前記認可済ユーザのアカウントをリアルタイムで課金し、少なくとも１つの取引プロバイダアカウントに返金する課金部と、
前記取引を決済するための前記少なくとも１つのルールに従って、前記取引を決済する決済部と
を備えることを特徴とする集中通信システム。
【請求項９９】
前記認可済ユーザが、前記取引に対して課金する認可済ユーザアカウントに十分な金額を持っていないことを判定する第２判定部と、
再入金ルーチンの完了後、前記認可済ユーザアカウントに再入金する再入金部とを更に備え、
前記再入金ルーチンは、
送金するための再入金ユーザアカウントを判定し、
前記認可済ユーザからの事前認可済送金の参照及び認可の要求の少なくとも１つによって前記送金を認可する
ことを特徴とする請求項９８に記載の集中通信システム。
【請求項１００】
前記再入金は、複数の再入金ユーザアカウントを利用して実行される
ことを特徴とする請求項９４あるいは９８に記載の集中通信システム。
【請求項１０１】
前記認可済ユーザからの前記認可の要求は、ユーザＰＩＮの要求、手動エントリの要求、ユーザパスフレーズの要求及び生体測定手段を介するユーザ識別子の確認の少なくとも１つである
ことを特徴とする請求項９３あるいは９８に記載の集中通信システム。
【請求項１０２】
前記課金は、アカウントから課金するための複数のルールを利用して実行され、かつ前記決済は、複数の決済ルールを利用して実行される
ことを特徴とする請求項９３あるいは９８に記載の集中通信システム。
【請求項１０３】
前記認可部は、前記取引を認可するための複数のルールを利用し、前記課金部は、アカウントから課金するための複数のルールを利用し、かつ前記決済部は、複数の決済ルールを利用する
ことを特徴とする請求項９８に記載の集中通信システム。
【請求項１０４】
前記決済は、即時、３日後、カレンダー月の末、定期的な期間及び一連の分割払日の少なくとも１つで発生する
ことを特徴とする請求項９３あるいは９８に記載の集中通信システム。
【請求項１０５】
前記取引の認可に対し、前記少なくとも１つのルールを適用することは、ＰＩＮ、手動エントリ、ユーザパスフレーズ及び生体測定手段を介するユーザ識別子の確認の少なくとも１つを使用する前記取引の認可を含む
ことを特徴とする請求項９３あるいは９８に記載の集中通信システム。
【請求項１０６】
更に、アルゴリズムに従って、取引認可リクエストの発行時にリアルタイムで適用される少なくとも１つのルールを判定し、前記アルゴリズムは、当該アルゴリズムの機能である前記取引認可リクエストのタイミングを含んでいる
ことを特徴とする請求項９３あるいは９８に記載の集中通信システム。
【請求項１０７】
時系列イベントに関連するデータを使用するアルゴリズムに従う取引認可リクエストの発行時にリアルタイムで適用される少なくとも１つのルールを判定する判定部と、前記ルールは、前記取引認可リクエストとの関係を持っていることが考慮される
ことを特徴とする請求項９８に記載の集中通信システム。
【請求項１０８】
時系列イベントに関連するデータを使用するアルゴリズムに従う取引認可リクエストの発行時にリアルタイムで適用される少なくとも１つのルールを判定する判定部を更に備え、前記ルールは、前記取引認可リクエストとの関係を持っていることが考慮され、かつ利用可能な時系列データの内容は定常的に変更される
ことを特徴とする請求項９８に記載の集中通信システム。
【請求項１０９】
前記時系列イベントは、認可済ユーザの過去の購入、あるいは時系列リスクアセスメントの実際の成果である
ことを特徴とする請求項９６、９７、１０７あるいは１０８のいずれか１項に記載の集中通信システム。
【請求項１１０】
前記取引が要求され、かつ前記複数の取引プロバイダへの接続は、異種ネットワークにまたがっている
ことを特徴とする請求項９３あるいは９８に記載の集中通信システム。
【請求項１１１】
前記課金部は、メンバーシップが現状通りであるかのチェック、飛行マイルの減少あるいは増加、クレジット契約の増加あるいは減少、契約の記録の少なくとも１つによって課金する
ことを特徴とする請求項９３あるいは９８に記載の集中通信システム。